(57)【特許請求の範囲】
【請求項１】
物体側から順に、正の屈折力を有する第１群と、負の屈折力を有する第２群と、正の屈折力を有する第３群と、正の屈折力を有する第４群とよりなり、広角端から望遠端への変倍時、前記第１群を物体側へ移動し、前記第２群を前記第１群との間隔が増大するように移動し、前記第３群を前記第２群との間隔が狭くなるように移動し、前記第４群を前記第３群との間隔が広角端よりテレ端の方が狭くなるように移動し、開口絞りが前記第２群よりも像側でかつ前記第４群よりも物体側に配置され、前記第４群が正の屈折力を有する前群と負の屈折力を有する後群とよりなり、前記第２群が物体側より順にそれぞれ空気間隔を挟んで配置された負レンズと負レンズと正レンズよりなり、下記条件（１）、（２）、（３）を満足するズームレンズ。
（１）    ４．１＜ｆ1 ／｜ｆ2 ｜＜５．０
（２）    ０．１１≦｜ｆ2 ｜／ｆT ＜０．１６
（３）    ０．１＜Ｄ4 ／ｈ＜０．７
ただし、ｆ1 、ｆ2 はそれぞれ第１群および第２群の焦点距離、ｆT は望遠端における全系の焦点距離、Ｄ4 は第４群の前群と後群の空気間隔、ｈは最大の撮影像高である。
【請求項２】
物体側から順に、正の屈折力を有する第１群と、負の屈折力を有する第２群と、正の屈折力を有する第３群と、正の屈折力を有する第４群とよりなり、広角端から望遠端への変倍時、前記第１群を物体側へ移動し、前記第２群を前記第１群との間隔が増大するように移動し、前記第３群を前記第２群との間隔が狭くなるように移動し、前記第４群を前記第３群との間隔が広角端よりテレ端の方が狭くなるように移動し、開口絞りが前記第２群よりも像側でかつ前記第４群よりも物体側に配置され、前記第４群が正の屈折力を有する前群と負の屈折力を有する後群とよりなり、前記第１群が物体側から順に負レンズと正レンズと物体側に凸面を向けた正のメニスカスレンズとからなり、前記第３群の最も像側に物体側が空気間隔である負の単レンズを配置し、下記条件（１）、（２）、（３）を満足するズームレンズ。
（１）    ４．１＜ｆ1 ／｜ｆ2 ｜＜５．０
（２）    ０．１１≦｜ｆ2 ｜／ｆT ＜０．１６
（３）    ０．１＜Ｄ4 ／ｈ＜０．７
ただし、ｆ1 、ｆ2 はそれぞれ第１群および第２群の焦点距離、ｆT は望遠端における全系の焦点距離、Ｄ4 は第４群の前群と後群の空気間隔、ｈは最大の撮影像高である。
【請求項３】
物体側より順に、正の屈折力を有する第１群と、負の屈折力を有する第２群と、正の屈折力を有する第３群と、正の屈折力を有する第４群とよりなり、広角端から望遠端への変倍時に、第１群が物体側へ移動し第２群が第１群との間隔が増大するように移動し、第３群が第２群との間隔が狭くなるように移動し、第４群が第３群との間隔が広角端よりテレ端の方が狭くなるように移動し、前記第１群が物体側から順に負のレンズと正のレンズと物体側に凸面を向けた正のメニスカス形状のレンズとからなり、前記第２群が物体側から順に、いずれも空気間隔をおいて配置された負のレンズ成分と負のレンズ成分と正のレンズ成分と負のレンズ成分とからなり、前記第３群が物体側から順に正の屈折力を有するレンズ成分とこのレンズ成分と空気間隔をおいて配置された負のレンズ成分とからなり、前記第４群が正の屈折力の前群と負の屈折力の後群とからなり、下記条件（１）、（３）、（４）を満足するズームレンズ。
（１）    ４．１＜ｆ1 ／｜ｆ2 ｜＜５．０
（３）    ０．１＜Ｄ4 ／ｈ＜０．７
（４）    ０．２＜ｆ3 ／ｆ4 ＜１．１
ただし、ｆ1 、ｆ2 、ｆ3 、ｆ4 はそれぞれ第１群、第２群、第３群および第４群の焦点距離、Ｄ4 は第４群の前群と後群の空気間隔、ｈは最大の撮影像高である。
【請求項４】
変倍比が４．５以上である請求項１又は２のズームレンズ。
【請求項５】
前記第３群の最も物体側に正レンズを配置したことを特徴とする請求項１、２、３又は４のズームレンズ。
【請求項６】
前記第３群が物体側より順に正レンズと正レンズと物体側に凹面を向けた負レンズよりなることを特徴とする請求項１、２、３又は４のズームレンズ。
【請求項７】
前記第３群の最も物体側の正レンズが単レンズであることを特徴とする請求項５又は６のズームレンズ。
【請求項８】
前記第３群の前記負レンズの物体側の面よりもこの面と空気間隔を挟んで対向する面のほうが弱い曲率であることを特徴とする請求項６のズームレンズ。
【請求項９】
前記第４群の前記前群が正レンズよりなり前記後群が負レンズよりなることを特徴とする請求項１、２、３又は４のズームレンズ。
【請求項１０】
前記第４群の前記後群の負レンズが光軸から離れるにしたがって負の屈折力が強くなる形状の非球面を有することを特徴とする請求項９のズームレンズ。
【請求項１１】
前記第４群の前記負レンズの非球面がガラスレンズに樹脂を設けることにより形成することを特徴とする請求項１０のズームレンズ。
【請求項１２】
前記第２群の最も物体側の負レンズが非球面を有することを特徴とする請求項１のズームレンズ。
【請求項１３】
前記第２群のレンズがいずれも単レンズであることを特徴とする請求項１２のズームレンズ。
【請求項１４】
前記第１群が物体側から順に負レンズと正レンズと物体側に凸面を向けた正のメニスカスレンズとからなることを特徴とする請求項１のズームレンズ。
【請求項１５】
前記第１群の前記負レンズと前記正レンズが下記条件（６）を満足することを特徴とする請求項３又は１４のズームレンズ。
（６）    ０≦Ｄ2 ／ｈ≦０．０３５
ただし、Ｄ2は第１群の第１レンズである負レンズと第２レンズである正レンズの空気間隔、ｈは最大の撮影像高である。
【請求項１６】
前記第１群の前記負レンズと前記正レンズとを接合して接合レンズとしたことを特徴とする請求項１５のズームレンズ。
【請求項１７】
前記第２群が下記条件（２）を満足することを特徴とする請求項３のズームレンズ。
（２）    ０．０７＜｜ｆ2 ｜／ｆT ＜０．１６
ただし、ｆ2 は第２群の焦点距離、ｆT は望遠端における全系の焦点距離である。
【請求項１８】
前記条件（３）の代りに下記条件（３−２）を満足することを特徴とする請求項１、２、３又は４のズームレンズ。
（３−２）    ０．１４＜Ｄ4 ／ｈ＜０．５
【請求項１９】
前記条件（１）の代りに下記条件（１−１）を満足することを特徴とする請求項１、２、３又は４のズームレンズ。
（１−１）    ４．３＜ｆ1 ／｜ｆ2 ｜＜４．９
【請求項２０】
下記条件（４）を満足することを特徴とする請求項１又は２のズームレンズ。
（４）    ０．２＜ｆ3 ／ｆ4 ＜１．１
ただし、ｆ3 、ｆ4 はそれぞれ第３群および第４群の焦点距離である。
【請求項２１】
広角端における画角が６５°を超えることを特徴とする請求項１、２、３、４、５、６、７、８、９、１０、１１、１２、１３、１４、１５、１６、１７、１８、１９又は２０のズームレンズ。
【請求項２２】
請求項１、２、３、４、５、６、７、８、９、１０、１１、１２、１３、１４、１５、１６、１７、１８、１９、２０又は２１のズームレンズを備えた撮像装置で、前記ズームレンズの像側に光路を分割する光路分割手段を配置し、この光路分割手段により分割された光路内の一方を撮像用の光路にし他方を観察用のファインダーを配置したファインダー用の光路としたことを特徴とする撮像装置。
【発明の詳細な説明】
【０００１】
【発明が属する技術分野】
本発明は小型で変倍比が高い広角ズームレンズに関するものである。
【０００２】
【従来の技術】
ズームレンズで、高変倍で小型化が可能なレンズ系は、物体側より順に、正の第１群と、負の第２群と、正の第３群と、正の第４群とにて構成し、各群を移動させて変倍を行なうズームレンズが有効である。
【０００３】
このような構成の従来例として、特開昭５７−１６８２０９号の第１〜第６実施例のレンズ系、特開昭６３−６６５２２号第１〜第４実施例のレンズ系、特開昭６３−２９４５０６号の第１〜第１１実施例のレンズ系、特開平１−２２９２１７号の第１〜第３実施例のレンズ系、特開平２−１５３３１１号の第１〜第３実施例、特開平９−１０１４５９号の第１〜第４実施例のレンズ系、特開平９−１０１４５８号の第１実施例のレンズ系、特開平６−７５１６７号の第２、第４実施例のレンズ系、特開平８−２２０４３９号の第１、第２、第４実施例のレンズ系、特開平８−２４８３１９号の第１、第２実施例のレンズ系がある。
【０００４】
上記の従来のズームレンズは、レンズ枚数が１２〜１３枚程度と少ないが変倍比が４．５に達せず、変倍比があまり高くない。
【０００５】
また、他の従来例として特開平８−２４８３１９号の第３〜第６の実施例は、レンズ枚数が１２〜１３枚程で変倍比が４．５を超える高変倍比であるが、ワイド端からテレ端への変倍の際の球面収差の変動や非点収差の変動が大である。
【０００６】
【発明が解決しようとする課題】
本発明は、正の第１群と負の第２群と正の第３群と正の第４群とよりなり、変倍比が４．５を超える高変倍でありながら小型でレンズ枚数が少なく、画角が６５°を超えるワイド端からテレ端までの変倍域全域で性能が良好なズームレンズを提供するものである。
【０００７】
【課題を解決するための手段】
本発明のズームレンズの第１の構成は、物体側より順に、正の第１群と負の第２群と正の第３群と正の第４群とよりなりワイド端からテレ端への変倍のために、第１群が物体側へ移動し、第２群が第１群との間隔を増大させるように移動し、第３群が第２群との間隔が狭くなるように移動し、第４群が第３群との間隔がワイド端におけるよりもテレ端における方が狭くなるように移動し、開口絞りが第２群よりも像側でかつ第４群よりも物体側に配置されていて、第４群が正の屈折力を有する前群と負の屈折率を有する後群とよりなり、次の条件（１、（２）、（３）を満足することを特徴とする。
（１）    ４．１＜ｆ1 ／｜ｆ2 ｜＜５．０
（２）    ０．０７＜｜ｆ2 ｜／ｆT ＜０．１６
（３）    ０．１＜Ｄ4 ／ｈ＜０．７
ただし、ｆ1 、ｆ2 はそれぞれ第１群および第２群の焦点距離、ｆT はテレ端における全系の焦点距離、Ｄ4 は第４群の前群と後群の空気間隔、ｈは最大の撮影像高である。
【０００８】
広角ズームレンズにおいて、広角から変倍比を高くしていくにしたがって、ワイド端やテレ端はもとより中間の焦点距離の領域でも変倍の際の像面の変動や倍率の色収差の変動が大きく性能を良好に保つことが困難になる。
【０００９】
そのため、ズームレンズは、各レンズ群の移動とパワーを適切に選ぶことがレンズ系を高変倍にするために重要である。
【００１０】
本発明は、前述のように各群を正、負、正、正のパワー配置にし、広角端から望遠端への変倍のための各群の移動を、第１群を物体側へ移動させ、第２群を第１群との間隔が増大するように移動させ、第３群を第２群との間隔が狭くなるように移動させ、第４群を第３群との間隔がワイド端におけるよりもテレ端における方が狭くなるように移動させるようにした。
【００１１】
これによって、本発明では広角側で主として発生する軸外収差を、開口絞りの物体側にある第１群の正の屈折力と第２群の負の屈折力によって良好に補正することができる。
【００１２】
また、望遠側では、第１群の正の屈折力により望遠端でのズームレンズの全長を短く保つことが出来、更に第２群の負の屈折力と第３群と第４群の正の屈折力を近接させることによって主として球面収差、コマ収差を良好に補正するようにした。
【００１３】
また、広角端から望遠端への変倍時に第３群と第４群とを物体側へ移動させることにより球面収差やコマ収差を一層良好に補正できる。
【００１４】
本発明のズームレンズは、以上のような理由により、前述の各群のパワーの選定と各群の移動を定めたもので、更に前記条件（１）、（２）、（３）を満足することを特徴とする。
【００１５】
この条件（１）は、中間焦点距離域でのレンズ系の性能を良好に保ちつつ小型で高変倍にするために必要な各群の適切な動きを可能に適切なパワー配置を行ない得るための条件である。
【００１６】
条件（１）の下限の４．１を超えると望遠端付近でのレンズ系の全長を小さくできるが、第１群のレンズ径が大になり、カメラの小型化と、変倍比を高くすることができなくなる。また条件（１）の上限の５．０を超えると、第２群のパワーが強くなり先玉径を小さくできるが中間焦点距離域を含めて収差変動を抑えることが困難になる。
【００１７】
条件（２）は、レンズ系の性能を良好に保ちながら望遠端での全長を短くし高い変倍比を確保するために設けたもので、条件（２）の下限の０．０７を超えると望遠端での全長が短くなり高変倍比には有利であるが、第２群のパワーが強くなり第２群で発生する収差を補正することが困難になる。また条件（２）の上限の０．１６を超えると望遠端の全長を短く保ちながら高変倍比を得ることが困難になる。
【００１８】
条件（３）は、第４群の前群から射出する光線の広がりを抑えて第４群のレンズ径を小さくし、更に変倍域全域にわたって良好な光学性能を得るために設けた条件である。
【００１９】
この条件（３）の上限の０．７を超えると歪曲収差や非点収差、コマ収差等の軸外収差の変倍域全域での変動を抑えることができるが第４群の径およびレンズ系の全長が大になりレンズ系を小型化できない。
【００２０】
また、条件（３）の下限の０．１を超えると、球面収差が良好になり第４レンズ群の外径と全長を小にできるが、軸外収差が変倍域全域で大きく変動する。
【００２１】
特に高変倍比として変倍域を広くした場合、軸外収差の変動が極めて大になる。例えば変倍比が４．５を超えかつ条件（３）の下限を超えると他の収差を良好に補正した状態で、歪曲収差は広角端で負の値の収差が発生しまた望遠端では正の値の収差が発生する。つまり、広角端から望遠端へ変倍させた時歪曲収差は負の値から正の値へ大きく変化する。
【００２２】
前記第１の構成のズームレンズにおいて、条件（１）、（３）の代りに下記条件（１−１）、（３−１）を満足すればより望ましい。
（１−１）    ４．１＜ｆ1 ／｜ｆ2 ｜＜５．３
（３−１）    ０．１５＜Ｄ4 ／ｈ＜０．７
【００２３】
上記条件を満足するようにすれば、条件（１）、（３）にて述べた作用効果を得る上でより有効であり、光学性能の一層すぐれたズームレンズが得られる。
【００２４】
また本発明の第２の構成は、前記の各群のパワー配置でまた変倍時前記の通り各群が移動するレンズ系で、第１群が物体側より順に、負のレンズ成分と正のレンズ成分と物体側に凸面を向けた正のメニスカス形状のレンズ成分からなり、第２群が物体側より順にそれぞれが空気間隔を挟んで配置された負のレンズ成分と負のレンズ成分と正のレンズ成分と負のレンズ成分とからなり、第３群が物体側より順に、正の屈折力を有する正の群とこの正の群と空気間隔を設けて配置された負のレンズ成分とからなり、第４群が正の屈折力を有する前群と負の屈折力を有する後群とからなり、次の条件（１）、（３）、（４）を満足することを特徴とする。
（１）    ４．１＜ｆ1 ／｜ｆ2 ｜＜５．０
（３）    ０．１＜Ｄ4 ／ｈ＜０．７
（４）    ０．２＜ｆ3 ／ｆ4 ＜１．１
ただしｆ3 ，ｆ4 は夫々第３群および第４群の焦点距離である。
【００２５】
また、第３群の正のレンズ成分、負のレンズ成分とはいずれも１枚のレンズ（単レンズ）又は複数枚を接合した接合レンズで夫々正の屈折力および負の屈折力を有するものおよび比較的近接して配置された複数のレンズよりなり実質上一つのレンズと等価な作用をもち全体として正の屈折力および負の屈折力を有するものをいう。また第４群の前群、後群は夫々１枚または複数枚のレンズよりなる。
【００２６】
上記第２の構成の本発明のズームレンズは、第１の構成のズームレンズと同様の理由から、正の第１群と負の第２群と正の第３群と正の第４群とにて構成し、広角端から望遠端への変倍のために、正の第１群を物体側へ移動させ、負の第２群を第１群との間隔が増大するように移動させ、正の第３群を第２群との間隔が狭くなるように移動させ、正の第４群を第３群との間隔がワイド端におけるよりもテレ端における方が狭くなるように移動させるようにした。
【００２７】
更にこの第２の構成のズームレンズは、第１群を物体側より順に、負のレンズ成分と正のレンズ成分と物体側に凸の面を向けた正のメニスカス形状のレンズ成分とにて構成することによって倍率の色収差を良好に補正し、歪曲収差、非点収差等の軸外収差の変動を抑えるようにした。
【００２８】
つまり、第１群の物体側に負のレンズ成分と正のレンズ成分を配置して倍率の色収差を良好に補正するようにした。この場合前記負のレンズ成分と正のレンズ成分は近接させ配置することが効果的である。
【００２９】
また、これら負のレンズ成分と正のレンズ成分の像側に物体側に凸面を向けた正のメニスカス形状のレンズ成分を配置することにより第２群で発生する主として歪曲収差や非点収差等の軸外収差の変倍時における変動を抑えることができる。
【００３０】
また、前記第２の構成においては、第２群を物体側から順に、いずれも空気間隔をおいて配置した負のレンズ成分と負のレンズ成分と正のレンズ成分と負のレンズ成分とにて構成して、広角端での歪曲収差の悪化と変倍時の像面の変動や倍率の色収差の変動を抑えて光学性能を良好に保ちながらこの第２群のパワーを強くして変倍比を大にし得るようにした。つまり、第２群の最も物体側のレンズをパワーの強い負のレンズ成分にすれば第１群にて発生する正の歪曲収差を補正できるが、この負のレンズ成分のパワーが強くなりすぎると主としてコマ収差や倍率の色収差の変倍時の変動が大になるため好ましくない。そのためこの第２群の最も物体側の負のパワーを二つの負のレンズ成分に分担させることにより、前記の収差変動を抑えることができる。
【００３１】
また、この第２群の物体側の二つの負のレンズ成分で発生する主として軸上色収差と望遠側での球面収差をこれら負のレンズ成分の像側に配置した正のレンズ成分にて補正するようにした。
【００３２】
またこの正のレンズ成分によって、これに続く第２群の像側の負のレンズ成分により残存する球面収差とコマ収差をバランス良く補正するようにしている。
【００３３】
尚第２群の四つのレンズ成分は、それぞれが空気間隔をおいて独立して配置することが前記の収差補正等のためには有効である。また、これらレンズ成分は、単レンズに限ることはないが、すべてを単レンズにて構成しても前記収差補正作用等が得られ、これにより第２群を少ない枚数にて構成でき軽量、小型で低コストになし得る。
【００３４】
また、この第２の構成のレンズ系において、条件（１）、（３）を満足するようにしたのは、第１の構成にて述べたと同様の理由にもとづくものである。
【００３５】
更に本発明のこの第２の構成のズームレンズにおいて、条件（４）を満足するようにしたのは、次の理由による。
【００３６】
この条件（４）は、レンズの径を小にし、しかも収差を良好に保つために設けたものである。
【００３７】
この条件（４）の下限の０．２を超えると望遠端近傍で主として球面収差の補正が第３群に集中しレンズ系の良好な性能が得られなくなる。また条件（４）において上限の１．１を超えると第４群のパワーが強くなりすぎて第４群の径が大になり、カメラの小型化にとって好ましくない。
【００３８】
以上述べたように本発明の第１、第２の構成のズームレンズは、小型で高変倍で良好な光学性能のズームレンズを実現でき、後に示す実施例の通り特に変倍比が４．５以上のズームレンズを実現し得る。
【００３９】
前記第１、第２の構成のズームレンズにおいて、第３群の最も物体側に正のレンズ成分を配置することが望ましい。
【００４０】
また第１、第２の構成のズームレンズの第３群の最も像側にその物体側が空気と接する（物体側が空気間隔である）負のレンズ成分を配置することが望ましい。
【００４１】
また、第１、第２の構成のズームレンズにおいて、第３群が正のレンズ成分と正のレンズ成分と物体側に凹面を向けた負のレンズ成分にて構成されることが望ましい。
【００４２】
また前記第１、第２の構成のズームレンズの第３群の最も物体側が正の単レンズであることが望ましい。また最も像側が負の単レンズであることが望ましい。
【００４３】
また、第３群が少なくとも最も像側の負のレンズ成分とその前に空気間隔をおいて正のレンズ成分が配置されており、最も像側の負のレンズ成分の物体側の面の曲率よりもその物体側の正のレンズ成分の像側の面の曲率が弱いように構成することが望ましい。
【００４４】
本発明のズームレンズにおいて、第２群と第３群との変倍作用を強めることによってレンズ系を一層小型で高変倍にすることが可能である。そのために、前述のように第３群の最も物体側に正のレンズ成分を配置しまたこの正のレンズ成分とは空気間隔をおいて最も像面側に負のレンズ成分を配置するようにすれば、主点を第２群に近づけることができ変倍作用を強くすることができる。
【００４５】
次に前記第１、第２の構成のズームレンズにおいて、前記前群を１枚の正のレンズ成分にて構成し、この前群より空気間隔をおいて配置した前記後群を１枚の負のレンズ成分にて構成すれば、第４群を少ない枚数で小型に形成し得る。
【００４６】
また前記後群中に中心より周辺へ行くにしたがって負の屈折力が強くなる形状の非球面を設けることが望ましい。このような非球面を設けることにより、第４群の前群と後群をそれぞれ１枚のレンズにて構成して第４群全体の軸上の長さを小にして第４群を小型にしても光学性能を良好に保ち得る。
【００４７】
前記第４群に用いる非球面レンズはガラスレンズの表面に樹脂を設けて非球面としたハイブリッドレンズとしてもよい。
【００４８】
本発明の第１の構成のズームレンズにおいて、第２群をいずれも空気間隔をおいて配置した負のレンズ成分と負のレンズ成分と正のレンズ成分にて構成することが好ましい。
【００４９】
第２群と第３群の間隔の変化により変倍作用を大にして変倍比を高くすることができるが、そのためには第２群の負のパワーを強くする必要がある。このように第２群の負のパワーを強くすると、主として広角端での歪曲収差が悪化しまた変倍時の像面変動や倍率の色収差の変動を招く。そのため、この第２群を夫々独立した負のレンズ成分と負のレンズ成分と正のレンズ成分とにて構成した。これによって上記収差を良好に保ったまま第２群の負のパワーを強くすることができる。つまり第２群を上記構成にすることにより、高変倍にするために第２群の負のパワーを強くししかも上記各収差を良好に保つことが可能である。
【００５０】
また、第２群の最も物体側のレンズに非球面を設けることにより主として歪曲収差とコマ収差を一層良好に補正し得る。
【００５１】
また、第２群の第１、第２、第３の三つのレンズ成分はいずれも単レンズにて構成することが可能であり、第２群を負のレンズ成分、負のレンズ成分、正のレンズ成分にすることが可能であり、これにより光学性能を良好に保ったまま軽量、小型で低コストになし得る。
【００５２】
また本発明の第１の構成において、第２群を第２の構成のようにいずれも空気間隔をおいて配置した負レンズと負のレンズ成分と正のレンズ成分と負のレンズ成分とにて構成すればより望ましい。
【００５３】
このように第２レンズ群を負、負、正、負の構成にすれば、負、負、正の構成にしたときと同様に広角端における歪曲収差の悪化と変倍時の像面変動や倍率の色収差の変動を抑えて、光学性能を良好に保ったまま第２群の負のパワーを強くすることができる。
【００５４】
第２群の最も物体側の第１レンズ成分をパワーの強い負のレンズ成分にすれば、第１群で発生する正の歪曲収差を効果的に補正できる。しかし、この第１レンズ成分の負のパワーが強くなりすぎると、主として非点収差、コマ収差、倍率の色収差が、変倍時に変動が大になる。この負のパワーを第２レンズ成分に分担させることにより、この収差変動を小さくすることができる。また、第１レンズ成分、第２レンズ成分にて発生する主として軸上色収差や望遠側での球面収差やコマ収差を正の第３レンズ成分にて補正できる。また第３レンズ成分に続く負の第４レンズ成分により残存する色収差と球面収差、コマ収差をこの第３レンズ成分によりバランス良く補正することが可能である。
【００５５】
これら第１、第２、第３、第４レンズ成分の四つのレンズ成分は、夫々空気間隔をおいて独立して配置することが望ましく、それによって収差を良好に保つことができる。
【００５６】
また、各レンズ成分をいずれも１枚のレンズにて構成することも可能であり、それによって少ないレンズ枚数の軽量で小型で、低コストになし得る。
【００５７】
以上のように、第１の構成のレンズ系で、第２群を負の第１レンズ成分、負の第２レンズ成分、正の第３レンズ成分、正の第４レンズ成分にて構成したレンズ系で、下記条件（５）を満足することが望ましい。
（５）    −０．０７≦ｈ／Ｒ2G≦０．３５
ただし、Ｒ2Gは第２群の最も物体側の面の曲率半径である。
【００５８】
第２群の最も物体側の面の曲率半径Ｒ2Gを上記条件（５）に示す範囲内にすれば、第２群全体の曲率半径をゆるく設定でき、それにより第２群の全体のパワーを強くしながら収差の発生および変倍時の収差の変動を抑えることができる。上限０．３５を超えるとワイド端において第１群で発生する歪曲収差の補正が困難になる。下限−０．０７を超えると第２群の最も物体側の面で発生する歪曲収差が大きくなり、主に変倍時の歪曲収差の変動を抑えられなくなる。
【００５９】
また、本発明の第１の構成のズームレンズにおいて、第１群を物体側から順に、負レンズと正レンズと物体側に凸面を向けた正のメニスカスレンズにて構成することが望ましい。
【００６０】
本発明のズームレンズにおいて、第１群の倍率の色収差を補正する作用を強めるために第１レンズの負レンズと第２レンズの正レンズを近接配置することが効果的である。また正レンズである第２レンズの像側に物体側に凸面を向けた正のメニスカスレンズを配置することにより主として歪曲収差や非点収差等の軸外収差の変倍時の変動を抑えることができる。
【００６１】
また、第１群の第１レンズと第２レンズつまり負レンズと正レンズを接合して接合レンズ成分にすることにより最も物体側の光線高の高い光線がレンズ面にて複数回反射されることにより生ずるゴーストを軽減することができる。
【００６２】
第１群の第１レンズ（負レンズ）と第２レンズ（正レンズ）の空気間隔Ｄ2 が次の条件（６）を満足することが望ましい。
（６）    ０≦Ｄ2 ／ｈ≦０．０３５
ただしｈは最大の撮影像高である。
上限０．０３５を超えると、非点収差、歪曲収差の高次収差の発生と変倍時のそれら収差の変動が大きくなり好ましくない。下限を超える値は存在しない。
【００６３】
また本発明の第２の構成のズームレンズで、前記条件（２）を満足することが望ましい。
【００６４】
また、本発明の第１、第２の構成のズームレンズにおいて、条件（３）の代りに下記条件（３−２）を満足することが望ましい。
（３−２）    ０．１４＜Ｄ4 ／ｈ＜０．５
【００６５】
また、本発明の第１、第２の構成のズームレンズにおいて条件（１）の代りに下記条件（１−２）を満足することが望ましい。
（１−２）    ４．３＜ｆ1 ／｜ｆ2 ｜＜４．９
【００６６】
また、本発明の第１の構成のズームレンズにおいて、下記条件（４）を満足することが望ましい。
（４）    ０．２＜ｆ3 ／ｆ4 ＜１．１
ただし、ｆ3 、ｆ4 はそれぞれ第３群および第４群の焦点距離である。
【００６７】
【発明の実施の形態】
本発明のズームレンズの実施の形態を次に示す実施例をもとに述べる。
実施例１
ｆ＝28.978〜62.352〜135.263 ，Ｆナンバー＝4.545 〜5.936 〜7.145
２ω＝76.5°〜36.9°〜17.4°
ｒ1 ＝139.096           ｄ1 ＝2.700     ｎ1 ＝1.80518     ν1 ＝25.42
ｒ2 ＝59.508            ｄ2 ＝6.650     ｎ2 ＝1.48749     ν2 ＝70.23
ｒ3 ＝-5528.039         ｄ3 ＝0.200
ｒ4 ＝53.461            ｄ4 ＝5.000     ｎ3 ＝1.65844     ν3 ＝50.88
ｒ5 ＝287.987           ｄ5 ＝Ｄ1 （可変）
ｒ6 ＝-2652.243         ｄ6 ＝1.750     ｎ4 ＝1.77250     ν4 ＝49.60
ｒ7 ＝17.393            ｄ7 ＝4.811
ｒ8 ＝-40.390           ｄ8 ＝1.600     ｎ5 ＝1.72916     ν5 ＝54.68
ｒ9 ＝49.193            ｄ9 ＝0.200
ｒ10＝32.862            ｄ10＝2.900     ｎ6 ＝1.80809     ν6 ＝22.76
ｒ11＝-251.048          ｄ11＝Ｄ2 （可変）
ｒ12＝∞（絞り）        ｄ12＝1.000
ｒ13＝38.941            ｄ13＝2.800     ｎ7 ＝1.48749     ν7 ＝70.23
ｒ14＝-93.001           ｄ14＝0.200
ｒ15＝30.801            ｄ15＝2.800     ｎ8 ＝1.48749     ν8 ＝70.23
ｒ16＝-244.386          ｄ16＝2.150
ｒ17＝-46.901           ｄ17＝1.540     ｎ9 ＝1.84666     ν9 ＝23.78
ｒ18＝-8081.791         ｄ18＝Ｄ3 （可変）
ｒ19＝22.664            ｄ19＝5.000     ｎ10＝1.51633     ν10＝64.14
ｒ20＝-50.473           ｄ20＝4.658
ｒ21＝89.793（非球面）  ｄ21＝1.700     ｎ11＝1.75512     ν11＝45.60
ｒ22＝24.412
非球面係数
（第２１面）ｋ＝0.0000，Ａ4 ＝-3.7818 ×10-5，Ａ6 ＝-1.1667 ×10-7
Ａ8 ＝-4.0236 ×10-10 ，Ａ10＝-1.6813 ×10-12 ｆＢ
39.453     57.917     72.144
Ｄ1         0.899      17.786     37.727
Ｄ2         23.410     10.383     1.242
Ｄ3         11.197     4.680      1.324
ｆ1 ／｜ｆ2 ｜＝4.66  ，｜ｆ2 ｜／ｆT ＝0.15 ，Ｄ4 ／ｈ＝0.22
ｆ3 ／ｆ4 ＝0.80  ，ｈ／Ｒ2G＝-0.008  ，Ｄ2 ／ｈ＝0
【００６８】
実施例２
ｆ＝28.962〜62.333〜135.278 ，Ｆナンバー＝4.349 〜5.888 〜7.169
２ω＝76.6°〜37.1°〜17.5°
ｒ1 ＝258.674           ｄ1 ＝2.700     ｎ1 ＝1.80518     ν1 ＝25.42
ｒ2 ＝85.414            ｄ2 ＝6.800     ｎ2 ＝1.48749     ν2 ＝70.23
ｒ3 ＝-202.153          ｄ3 ＝0.250
ｒ4 ＝56.462            ｄ4 ＝4.800     ｎ3 ＝1.74100     ν3 ＝52.64
ｒ5 ＝136.342           ｄ5 ＝Ｄ1 （可変）
ｒ6 ＝137.910           ｄ6 ＝1.750     ｎ4 ＝1.77250     ν4 ＝49.60
ｒ7 ＝17.001            ｄ7 ＝5.350
ｒ8 ＝-30.223           ｄ8 ＝1.700     ｎ5 ＝1.72916     ν5 ＝54.68
ｒ9 ＝38.674（非球面）  ｄ9 ＝0.350
ｒ10＝35.083            ｄ10＝3.250     ｎ6 ＝1.84666     ν6 ＝23.78
ｒ11＝-92.849           ｄ11＝Ｄ2 （可変）
ｒ12＝∞（絞り）        ｄ12＝1.000
ｒ13＝36.018            ｄ13＝2.800     ｎ7 ＝1.48749     ν7 ＝70.23
ｒ14＝-89.051           ｄ14＝0.250
ｒ15＝31.126            ｄ15＝2.800     ｎ8 ＝1.48749     ν8 ＝70.23
ｒ16＝530.196           ｄ16＝1.000
ｒ17＝-40.014           ｄ17＝1.540     ｎ9 ＝1.84666     ν9 ＝23.78
ｒ18＝438.423           ｄ18＝Ｄ3 （可変）
ｒ19＝31.221            ｄ19＝4.200     ｎ10＝1.56384     ν10＝60.67
ｒ20＝-48.822           ｄ20＝11.500
ｒ21＝-42.255           ｄ21＝1.700     ｎ11＝1.79952     ν11＝42.22
ｒ22＝-87.963 （非球面）
非球面係数
（第９面）ｋ＝0.0000，Ａ4 ＝-2.8425 ×10-6，Ａ6 ＝6.9470×10-9
Ａ8 ＝1.0087×10-10 ，Ａ10＝-7.6780 ×10-13
（第２２面）ｋ＝0.0000，Ａ4 ＝2.5343×10-5，Ａ6 ＝1.0044×10-7
Ａ8 ＝-4.7840 ×10-10 ，Ａ10＝2.0039×10-12
ｆＢ        40.790     61.333     76.463
Ｄ1         0.969      17.678     40.936
Ｄ2         21.519     9.027      1.075
Ｄ3         8.877      3.958      1.053
ｆ1 ／｜ｆ2 ｜＝4.97  ，｜ｆ2 ｜／ｆT ＝0.15 ，Ｄ4 ／ｈ＝0.53
ｆ3 ／ｆ4 ＝(1.74)  ，ｈ／Ｒ2G＝0.157 ，Ｄ2 ／ｈ＝0
【００６９】
実施例３
ｆ＝28.974〜62.300〜135.273 ，Ｆナンバー＝4.777 〜6.203 〜7.238
２ω＝76.4°〜37.0°〜17.5°
ｒ1 ＝171.235           ｄ1 ＝2.700     ｎ1 ＝1.80518     ν1 ＝25.42
ｒ2 ＝65.318            ｄ2 ＝7.000     ｎ2 ＝1.48749     ν2 ＝70.23
ｒ3 ＝-233.902          ｄ3 ＝0.250
ｒ4 ＝47.467            ｄ4 ＝5.000     ｎ3 ＝1.74100     ν3 ＝52.64
ｒ5 ＝126.603           ｄ5 ＝Ｄ1 （可変）
ｒ6 ＝147.095           ｄ6 ＝1.750     ｎ4 ＝1.77250     ν4 ＝49.60
ｒ7 ＝15.149（非球面）  ｄ7 ＝5.440
ｒ8 ＝-30.189           ｄ8 ＝1.700     ｎ5 ＝1.72916     ν5 ＝54.68
ｒ9 ＝34.694            ｄ9 ＝0.200
ｒ10＝28.963            ｄ10＝3.250     ｎ6 ＝1.84666     ν6 ＝23.78
ｒ11＝-144.835          ｄ11＝Ｄ2 （可変）
ｒ12＝∞（絞り）        ｄ12＝1.000
ｒ13＝30.030            ｄ13＝2.800     ｎ7 ＝1.48749     ν7 ＝70.23
ｒ14＝-88.234           ｄ14＝0.250
ｒ15＝28.578            ｄ15＝2.800     ｎ8 ＝1.48749     ν8 ＝70.23
ｒ16＝-368.468          ｄ16＝1.000
ｒ17＝-38.957           ｄ17＝1.540     ｎ9 ＝1.84666     ν9 ＝23.78
ｒ18＝735.609           ｄ18＝Ｄ3 （可変）
ｒ19＝41.204            ｄ19＝5.600     ｎ10＝1.56384     ν10＝60.67
ｒ20＝-39.891           ｄ20＝9.871
ｒ21＝-29.119           ｄ21＝1.700     ｎ11＝1.79952     ν11＝42.22
ｒ22＝-55.173 （非球面）
非球面係数
（第７面）ｋ＝0.0000，Ａ4 ＝-4.8739 ×10-7，Ａ6 ＝-4.2944 ×10-9
Ａ8 ＝2.9606×10-10 ，Ａ10＝4.1414×10-14
（第２２面）ｋ＝0.0000，Ａ4 ＝2.5331×10-5，Ａ6 ＝1.0300×10-7
Ａ8 ＝-6.3982 ×10-10 ，Ａ10＝3.3047×10-12
ｆＢ        38.979     57.084     69.031
Ｄ1         0.941      16.799     34.904
Ｄ2         20.678     9.584      1.136
Ｄ3         7.247      3.371      0.981
ｆ1 ／｜ｆ2 ｜＝4.66  ，｜ｆ2 ｜／ｆT ＝0.13 ，Ｄ4 ／ｈ＝0.46
ｆ3 ／ｆ4 ＝0.94  ，ｈ／Ｒ2G＝0.147 ，Ｄ2 ／ｈ＝0
【００７０】
実施例４
ｆ＝28.973〜62.282〜135.305 ，Ｆナンバー＝4.726 〜6.038 〜7.104
２ω＝76.5°〜37.0°〜17.5°
ｒ1 ＝168.068           ｄ1 ＝2.700     ｎ1 ＝1.80518     ν1 ＝25.42
ｒ2 ＝65.291            ｄ2 ＝6.900     ｎ2 ＝1.48749     ν2 ＝70.23
ｒ3 ＝-184.746          ｄ3 ＝0.200
ｒ4 ＝43.593            ｄ4 ＝4.780     ｎ3 ＝1.71300     ν3 ＝53.87
ｒ5 ＝105.776           ｄ5 ＝Ｄ1 （可変）
ｒ6 ＝131.052           ｄ6 ＝1.750     ｎ4 ＝1.77250     ν4 ＝49.60
ｒ7 ＝15.268（非球面）  ｄ7 ＝5.650
ｒ8 ＝-25.195           ｄ8 ＝1.500     ｎ5 ＝1.72916     ν5 ＝54.68
ｒ9 ＝52.349            ｄ9 ＝0.200
ｒ10＝35.965            ｄ10＝2.900     ｎ6 ＝1.80809     ν6 ＝22.76
ｒ11＝-103.144          ｄ11＝Ｄ2 （可変）
ｒ12＝∞（絞り）        ｄ12＝1.000
ｒ13＝43.288            ｄ13＝2.800     ｎ7 ＝1.48749     ν7 ＝70.23
ｒ14＝-54.349           ｄ14＝0.200
ｒ15＝31.339            ｄ15＝2.800     ｎ8 ＝1.48749     ν8 ＝70.23
ｒ16＝-202.719          ｄ16＝2.634
ｒ17＝-39.405           ｄ17＝1.540     ｎ9 ＝1.84666     ν9 ＝23.78
ｒ18＝-312.358          ｄ18＝Ｄ3 （可変）
ｒ19＝24.576            ｄ19＝5.900     ｎ10＝1.51633     ν10＝64.14
ｒ20＝-33.149           ｄ20＝2.594
ｒ21＝315.704 （非球面）ｄ21＝1.700     ｎ11＝1.75512     ν11＝45.60
ｒ22＝27.892
非球面係数
（第７面）ｋ＝0.0000，Ａ4 ＝-3.0861 ×10-7，Ａ6 ＝1.5585×10-8
Ａ8 ＝-3.2655 ×10-11 ，Ａ10＝2.6660×10-12
（第２１面）ｋ＝0.0000，Ａ4 ＝-3.7356 ×10-5，Ａ6 ＝-5.9313 ×10-8
Ａ8 ＝-1.3911 ×10-10 ，Ａ10＝8.6456×10-13
ｆＢ        42.479     60.445     73.393
Ｄ1         0.900      16.536     32.970
Ｄ2         20.730     9.705      1.137
Ｄ3         11.191     5.179      2.199
ｆ1 ／｜ｆ2 ｜＝4.60  ，｜ｆ2 ｜／ｆT ＝0.13 ，Ｄ4 ／ｈ＝0.12
ｆ3 ／ｆ4 ＝0.72  ，ｈ／Ｒ2G＝0.165 ，Ｄ2 ／ｈ＝0
【００７１】
実施例５
ｆ＝28.978〜62.250〜135.270 ，Ｆナンバー＝4.679 〜6.004 〜7.184
２ω＝76.5°〜37.0°〜17.5°
ｒ1 ＝142.216           ｄ1 ＝2.700     ｎ1 ＝1.80518     ν1 ＝25.42
ｒ2 ＝60.186            ｄ2 ＝6.500     ｎ2 ＝1.48749     ν2 ＝70.23
ｒ3 ＝-337.896          ｄ3 ＝0.200
ｒ4 ＝46.151            ｄ4 ＝4.650     ｎ3 ＝1.71300     ν3 ＝53.87
ｒ5 ＝138.514           ｄ5 ＝Ｄ1 （可変）
ｒ6 ＝101.250           ｄ6 ＝1.600     ｎ4 ＝1.77250     ν4 ＝49.60
ｒ7 ＝14.925            ｄ7 ＝0.080     ｎ5 ＝1.52540     ν5 ＝51.81
ｒ8 ＝15.139（非球面）  ｄ8 ＝6.136
ｒ9 ＝-26.169           ｄ9 ＝1.600     ｎ6 ＝1.72916     ν6 ＝54.68
ｒ10＝42.175            ｄ10＝0.500
ｒ11＝32.650            ｄ11＝2.900     ｎ7 ＝1.80809     ν7 ＝22.76
ｒ12＝-126.198          ｄ12＝Ｄ2 （可変）
ｒ13＝∞（絞り）        ｄ13＝1.000
ｒ14＝39.506            ｄ14＝2.800     ｎ8 ＝1.48749     ν8 ＝70.23
ｒ15＝-65.213           ｄ15＝0.200
ｒ16＝32.094            ｄ16＝2.800     ｎ9 ＝1.48749     ν9 ＝70.23
ｒ17＝-120.620          ｄ17＝3.038
ｒ18＝-34.953           ｄ18＝1.540     ｎ10＝1.84666     ν10＝23.78
ｒ19＝-234.122          ｄ19＝Ｄ3 （可変）
ｒ20＝27.111            ｄ20＝5.200     ｎ11＝1.51633     ν11＝64.14
ｒ21＝-33.298           ｄ21＝4.677
ｒ22＝-156.822（非球面）ｄ22＝1.700     ｎ12＝1.75512     ν12＝45.60
ｒ23＝46.336
非球面係数
（第８面）ｋ＝0.0000，Ａ4 ＝-1.8371 ×10-7，Ａ6 ＝-1.6169 ×10-8
Ａ8 ＝6.8133×10-10 ，Ａ10＝-5.7550 ×10-13
（第２２面）ｋ＝0.0000，Ａ4 ＝-3.6801 ×10-5，Ａ6 ＝-9.3799 ×10-8
Ａ8 ＝4.3307×10-10 ，Ａ10＝-2.3714 ×10-12
ｆＢ        41.133     58.997     73.225
Ｄ1         0.913      17.004     33.880
Ｄ2         19.409     9.096      1.088
Ｄ3         10.889     5.778      2.912
ｆ1 ／｜ｆ2 ｜＝4.77  ，｜ｆ2 ｜／ｆT ＝0.13 ，Ｄ4 ／ｈ＝0.22
ｆ3 ／ｆ4 ＝0.81  ，ｈ／Ｒ2G＝0.213 ，Ｄ2 ／ｈ＝0
【００７２】
実施例６
ｆ＝28.973〜62.246〜135.270 ，Ｆナンバー＝5.045 〜6.289 〜7.088
２ω＝76.5°〜37.0°〜17.4°
ｒ1 ＝124.526           ｄ1 ＝2.550     ｎ1 ＝1.80518     ν1 ＝25.42
ｒ2 ＝52.919            ｄ2 ＝7.150     ｎ2 ＝1.48749     ν2 ＝70.23
ｒ3 ＝-199.548          ｄ3 ＝0.200
ｒ4 ＝38.385            ｄ4 ＝4.780     ｎ3 ＝1.71300     ν3 ＝53.87
ｒ5 ＝105.494           ｄ5 ＝Ｄ1 （可変）
ｒ6 ＝186.556           ｄ6 ＝1.700     ｎ4 ＝1.77250     ν4 ＝49.60
ｒ7 ＝14.288（非球面）  ｄ7 ＝5.520
ｒ8 ＝-24.210           ｄ8 ＝1.350     ｎ5 ＝1.72916     ν5 ＝54.68
ｒ9 ＝34.078            ｄ9 ＝0.200
ｒ10＝28.420            ｄ10＝2.800     ｎ6 ＝1.80809     ν6 ＝22.76
ｒ11＝-117.525          ｄ11＝Ｄ2 （可変）
ｒ12＝∞（絞り）        ｄ12＝1.000
ｒ13＝23.427            ｄ13＝2.800     ｎ7 ＝1.48749     ν7 ＝70.23
ｒ14＝-51.616           ｄ14＝0.200
ｒ15＝29.917            ｄ15＝2.800     ｎ8 ＝1.48749     ν8 ＝70.23
ｒ16＝-745.547          ｄ16＝0.700
ｒ17＝-29.394           ｄ17＝1.540     ｎ9 ＝1.84666     ν9 ＝23.78
ｒ18＝-98.889           ｄ18＝Ｄ3 （可変）
ｒ19＝34.016            ｄ19＝5.000     ｎ10＝1.51633     ν10＝64.14
ｒ20＝-26.263           ｄ20＝3.190
ｒ21＝-60.284 （非球面）ｄ21＝1.700     ｎ11＝1.78590     ν11＝44.20
ｒ22＝54.165
非球面係数
（第７面）ｋ＝0.0000，Ａ4 ＝-1.1271 ×10-6，Ａ6 ＝-5.6169 ×10-8
Ａ8 ＝8.0716×10-10 ，Ａ10＝-3.5824 ×10-12
（第２１面）ｋ＝0.0000，Ａ4 ＝-4.9730 ×10-5，Ａ6 ＝-1.5483 ×10-7
Ａ8 ＝8.2867×10-10 ，Ａ10＝-9.0402 ×10-12
ｆＢ        40.418     56.153     65.684
Ｄ1         0.900      15.348     28.764
Ｄ2         17.765     9.137      0.984
Ｄ3         8.502      4.404      1.992
ｆ1 ／｜ｆ2 ｜＝4.51  ，｜ｆ2 ｜／ｆT ＝0.11 ，Ｄ4 ／ｈ＝0.15
ｆ3 ／ｆ4 ＝0.38  ，ｈ／Ｒ2G＝0.116 ，Ｄ2 ／ｈ＝0
【００７３】
実施例７
ｆ＝28.985〜62.270〜135.274 ，Ｆナンバー＝4.523 〜5.806 〜7.088
２ω＝76.5°〜37.0°〜17.5°
ｒ1 ＝151.997           ｄ1 ＝2.700     ｎ1 ＝1.80518     ν1 ＝25.42
ｒ2 ＝54.705            ｄ2 ＝6.650     ｎ2 ＝1.48749     ν2 ＝70.23
ｒ3 ＝-284.130          ｄ3 ＝0.200
ｒ4 ＝43.317            ｄ4 ＝5.000     ｎ3 ＝1.65844     ν3 ＝50.88
ｒ5 ＝177.308           ｄ5 ＝Ｄ1 （可変）
ｒ6 ＝251.244           ｄ6 ＝1.600     ｎ4 ＝1.77250     ν4 ＝49.60
ｒ7 ＝15.857            ｄ7 ＝4.477
ｒ8 ＝-70.608           ｄ8 ＝1.600     ｎ5 ＝1.72916     ν5 ＝54.68
ｒ9 ＝28.141            ｄ9 ＝0.200
ｒ10＝23.641            ｄ10＝3.450     ｎ6 ＝1.84666     ν6 ＝23.78
ｒ11＝-171.788          ｄ11＝0.900
ｒ12＝-36.722           ｄ12＝1.450     ｎ7 ＝1.77250     ν7 ＝49.60
ｒ13＝-138.879          ｄ13＝Ｄ2 （可変）
ｒ14＝∞（絞り）        ｄ14＝1.000
ｒ15＝40.925            ｄ15＝2.800     ｎ8 ＝1.48749     ν8 ＝70.23
ｒ16＝-51.775           ｄ16＝0.200
ｒ17＝27.338            ｄ17＝2.800     ｎ9 ＝1.48749     ν9 ＝70.23
ｒ18＝15871.000         ｄ18＝2.798
ｒ19＝-39.168           ｄ19＝1.540     ｎ10＝1.80809     ν10＝22.76
ｒ20＝-2700.401         ｄ20＝Ｄ3 （可変）
ｒ21＝35.233            ｄ21＝5.000     ｎ11＝1.51633     ν11＝64.14
ｒ22＝-39.501           ｄ22＝6.779
ｒ23＝-400.000（非球面）ｄ23＝1.700     ｎ12＝1.75512     ν12＝45.60
ｒ24＝67.142
非球面係数
（第２３面）ｋ＝0.0000，Ａ4 ＝-2.8040 ×10-5，Ａ6 ＝-4.9662 ×10-8
Ａ8 ＝-3.6171 ×10-12 ，Ａ10＝-4.7800 ×10-13 ｆＢ
39.910     58.023     74.321
Ｄ1         0.900      15.972     30.772
Ｄ2         19.662     9.225      1.114
Ｄ3         9.973      4.719      1.879
ｆ1 ／｜ｆ2 ｜＝4.62  ，｜ｆ2 ｜／ｆT ＝0.12 ，Ｄ4 ／ｈ＝0.31
ｆ3 ／ｆ4 ＝0.78  ，ｈ／Ｒ2G＝0.086 ，Ｄ2 ／ｈ＝0
【００７４】
実施例８
ｆ＝28.977〜62.311〜135.255 ，Ｆナンバー＝4.752 〜5.991 〜7.150
２ω＝76.5°〜36.9°〜17.4°
ｒ1 ＝107.238           ｄ1 ＝2.700     ｎ1 ＝1.80518     ν1 ＝25.42
ｒ2 ＝45.584            ｄ2 ＝7.000     ｎ2 ＝1.48749     ν2 ＝70.23
ｒ3 ＝-375.873          ｄ3 ＝0.200
ｒ4 ＝38.916            ｄ4 ＝4.800     ｎ3 ＝1.65844     ν3 ＝50.88
ｒ5 ＝179.245           ｄ5 ＝Ｄ1 （可変）
ｒ6 ＝384.333           ｄ6 ＝1.600     ｎ4 ＝1.77250     ν4 ＝49.60
ｒ7 ＝14.647            ｄ7 ＝4.300
ｒ8 ＝-85.111           ｄ8 ＝1.550     ｎ5 ＝1.72916     ν5 ＝54.68
ｒ9 ＝25.952            ｄ9 ＝0.150
ｒ10＝21.031            ｄ10＝3.450     ｎ6 ＝1.84666     ν6 ＝23.78
ｒ11＝-390.555          ｄ11＝0.900
ｒ12＝-41.249           ｄ12＝1.300     ｎ7 ＝1.77250     ν7 ＝49.60
ｒ13＝-1572.096         ｄ13＝Ｄ2 （可変）
ｒ14＝∞（絞り）        ｄ14＝1.000
ｒ15＝22.662            ｄ15＝2.800     ｎ8 ＝1.48749     ν8 ＝70.23
ｒ16＝-68.646           ｄ16＝0.200
ｒ17＝32.666            ｄ17＝2.800     ｎ9 ＝1.48749     ν9 ＝70.23
ｒ18＝-1735.260         ｄ18＝0.800
ｒ19＝-28.112           ｄ19＝1.540     ｎ10＝1.80809     ν10＝22.76
ｒ20＝-83.490           ｄ20＝Ｄ3 （可変）
ｒ21＝35.586            ｄ21＝5.000     ｎ11＝1.51633     ν11＝64.14
ｒ22＝-29.673           ｄ22＝4.045
ｒ23＝-103.668（非球面）ｄ23＝1.700     ｎ12＝1.78590     ν12＝44.20
ｒ24＝60.309
非球面係数
（第２３面）ｋ＝0.0000，Ａ4 ＝-4.5761 ×10-5，Ａ6 ＝-9.7111 ×10-8
Ａ8 ＝-4.8450 ×10-10 ，Ａ10＝1.7769×10-12
ｆＢ        41.289     57.278     71.177
Ｄ1         0.900      14.473     26.496
Ｄ2         17.369     8.602      0.752
Ｄ3         6.776      3.232      0.982
ｆ1 ／｜ｆ2 ｜＝4.47  ，｜ｆ2 ｜／ｆT ＝0.11 ，Ｄ4 ／ｈ＝0.19
ｆ3 ／ｆ4 ＝0.54  ，ｈ／Ｒ2G＝0.056 ，Ｄ2 ／ｈ＝0
【００７５】
実施例９
ｆ＝28.972〜62.227〜135.210 ，Ｆナンバー＝4.752 〜5.991 〜7.150
２ω＝76.5°〜36.9°〜17.5°
ｒ1 ＝102.286           ｄ1 ＝2.700     ｎ1 ＝1.80518     ν1 ＝25.42
ｒ2 ＝44.313            ｄ2 ＝7.000     ｎ2 ＝1.48749     ν2 ＝70.23
ｒ3 ＝-486.799          ｄ3 ＝0.200
ｒ4 ＝38.783            ｄ4 ＝4.800     ｎ3 ＝1.65844     ν3 ＝50.88
ｒ5 ＝189.121           ｄ5 ＝Ｄ1 （可変）
ｒ6 ＝346.854           ｄ6 ＝1.600     ｎ4 ＝1.77250     ν4 ＝49.60
ｒ7 ＝14.581            ｄ7 ＝4.300
ｒ8 ＝-83.457           ｄ8 ＝1.550     ｎ5 ＝1.72916     ν5 ＝54.68
ｒ9 ＝25.335            ｄ9 ＝0.150
ｒ10＝20.816            ｄ10＝3.450     ｎ6 ＝1.84666     ν6 ＝23.78
ｒ11＝-331.085          ｄ11＝0.900
ｒ12＝-39.770           ｄ12＝1.300     ｎ7 ＝1.77250     ν7 ＝49.60
ｒ13＝-966.613          ｄ13＝Ｄ2 （可変）
ｒ14＝∞（絞り）        ｄ14＝1.000
ｒ15＝21.806            ｄ15＝2.800     ｎ8 ＝1.48749     ν8 ＝70.23
ｒ16＝-64.815           ｄ16＝0.200
ｒ17＝38.125            ｄ17＝2.800     ｎ9 ＝1.48749     ν9 ＝70.23
ｒ18＝-237.613          ｄ18＝0.800
ｒ19＝-26.123           ｄ19＝1.540     ｎ10＝1.80809     ν10＝22.76
ｒ20＝-70.981           ｄ20＝Ｄ3 （可変）
ｒ21＝36.677            ｄ21＝5.000     ｎ11＝1.51633     ν11＝64.14
ｒ22＝-29.757           ｄ22＝3.913
ｒ23＝-169.606（非球面）ｄ23＝0.050     ｎ12＝1.52288     ν12＝52.50
ｒ24＝-100.000          ｄ24＝1.650     ｎ13＝1.78590     ν13＝44.20
ｒ25＝54.197
非球面係数
（第２３面）ｋ＝0.0000，Ａ4 ＝-6.8360 ×10-5，Ａ6 ＝-6.8001 ×10-8
Ａ8 ＝-2.5352 ×10-9，Ａ10＝1.6368×10-11
ｆＢ        41.519     57.411     71.684
Ｄ1         0.900      14.434     26.247
Ｄ2         17.288     8.570      0.761
Ｄ3         6.642      2.995      0.819
ｆ1 ／｜ｆ2 ｜＝4.48  ，｜ｆ2 ｜／ｆT ＝0.11 ，Ｄ4 ／ｈ＝0.18
ｆ3 ／ｆ4 ＝0.52  ，ｈ／Ｒ2G＝0.062 ，Ｄ2 ／ｈ＝0
【００７６】
実施例１０
ｆ＝28.980〜64.745〜145.260 ，Ｆナンバー＝4.305 〜5.665 〜7.078
２ω＝76.4°〜35.8°〜16.4°
ｒ1 ＝148.634           ｄ1 ＝2.700     ｎ1 ＝1.80518     ν1 ＝25.42
ｒ2 ＝54.752            ｄ2 ＝6.650     ｎ2 ＝1.48749     ν2 ＝70.23
ｒ3 ＝-261.516          ｄ3 ＝0.200
ｒ4 ＝40.877            ｄ4 ＝5.000     ｎ3 ＝1.65844     ν3 ＝50.88
ｒ5 ＝141.604           ｄ5 ＝Ｄ1 （可変）
ｒ6 ＝107.490           ｄ6 ＝1.500     ｎ4 ＝1.77250     ν4 ＝49.60
ｒ7 ＝14.845            ｄ7 ＝4.500
ｒ8 ＝-43.168           ｄ8 ＝1.400     ｎ5 ＝1.72916     ν5 ＝54.68
ｒ9 ＝39.431            ｄ9 ＝0.200
ｒ10＝27.458            ｄ10＝3.450     ｎ6 ＝1.84666     ν6 ＝23.78
ｒ11＝-82.928           ｄ11＝0.900
ｒ12＝-29.851           ｄ12＝1.450     ｎ7 ＝1.77250     ν7 ＝49.60
ｒ13＝-126.325          ｄ13＝Ｄ2 （可変）
ｒ14＝∞（絞り）        ｄ14＝1.000
ｒ15＝37.913            ｄ15＝2.800     ｎ8 ＝1.48749     ν8 ＝70.23
ｒ16＝-49.810           ｄ16＝0.200
ｒ17＝27.987            ｄ17＝2.800     ｎ9 ＝1.48749     ν9 ＝70.23
ｒ18＝-339.010          ｄ18＝1.728
ｒ19＝-36.890           ｄ19＝1.540     ｎ10＝1.80809     ν10＝22.76
ｒ20＝-325.148          ｄ20＝Ｄ3 （可変）
ｒ21＝36.670            ｄ21＝5.000     ｎ11＝1.51633     ν11＝64.14
ｒ22＝-37.908           ｄ22＝6.622
ｒ23＝-222.149（非球面）ｄ23＝1.700     ｎ12＝1.75512     ν12＝45.60
ｒ24＝59.830
非球面係数
（第２３面）ｋ＝0.0000，Ａ4 ＝-3.1468 ×10-5，Ａ6 ＝-5.8852 ×10-8
Ａ8 ＝-4.4515 ×10-11 ，Ａ10＝-2.0747 ×10-13 ｆＢ
38.918     58.656     77.304
Ｄ1         0.900      15.936     30.326
Ｄ2         18.887     8.656      0.737
Ｄ3         9.645      4.176      1.516
ｆ1 ／｜ｆ2 ｜＝4.72  ，｜ｆ2 ｜／ｆT ＝0.11 ，Ｄ4 ／ｈ＝0.31
ｆ3 ／ｆ4 ＝0.61  ，ｈ／Ｒ2G＝0.201 ，Ｄ2 ／ｈ＝0
【００７７】
実施例１１
ｆ＝28.967〜62.272〜135.280 ，Ｆナンバー＝4.928 〜6.174 〜7.177
２ω＝76.2°〜87.1°〜17.5°
ｒ1 ＝213.992           ｄ1 ＝2.700     ｎ1 ＝1.80518     ν1 ＝25.42
ｒ2 ＝52.239            ｄ2 ＝6.750     ｎ2 ＝1.56884     ν2 ＝60.67
ｒ3 ＝-274.542          ｄ3 ＝0.200
ｒ4 ＝43.295            ｄ4 ＝4.600     ｎ3 ＝1.60562     ν3 ＝43.70
ｒ5 ＝194.822           ｄ5 ＝Ｄ1 （可変）
ｒ6 ＝228.798           ｄ6 ＝1.600     ｎ4 ＝1.77250     ν4 ＝49.60
ｒ7 ＝15.510            ｄ7 ＝4.358
ｒ8 ＝-53.699           ｄ8 ＝1.500     ｎ5 ＝1.71800     ν5 ＝53.87
ｒ9 ＝37.564            ｄ9 ＝0.200
ｒ10＝26.272            ｄ10＝3.450     ｎ6 ＝1.84666     ν6 ＝23.78
ｒ11＝-104.639          ｄ11＝0.850
ｒ12＝-38.725           ｄ12＝1.350     ｎ7 ＝1.77250     ν7 ＝49.60
ｒ13＝-6672.969         ｄ13＝Ｄ2 （可変）
ｒ14＝∞（絞り）        ｄ14＝1.000
ｒ15＝44.199            ｄ15＝2.800     ｎ8 ＝1.48749     ν8 ＝70.23
ｒ16＝-46.651           ｄ16＝0.200
ｒ17＝28.178            ｄ17＝2.800     ｎ9 ＝1.48749     ν9 ＝70.23
ｒ18＝-602.831          ｄ18＝4.212
ｒ19＝-33.980           ｄ19＝1.540     ｎ10＝1.80809     ν10＝22.76
ｒ20＝-215.450          ｄ20＝Ｄ3 （可変）
ｒ21＝36.879            ｄ21＝4.900     ｎ11＝1.51633     ν11＝64.14
ｒ22＝-42.083           ｄ22＝8.329
ｒ23＝-251.989（非球面）ｄ23＝1.700     ｎ12＝1.76200     ν12＝40.10
ｒ24＝104.273
非球面係数
（第２３面）ｋ＝0.0000，Ａ4 ＝-2.5660 ×10-5，Ａ6 ＝-4.9630 ×10-8
Ａ8 ＝-3.0611 ×10-11 ，Ａ10＝-8.3544 ×10-14 ｆＢ
38.288     58.500     76.361
Ｄ1         0.900      16.214     92.970
Ｄ2         17.536     8.141      1.386
Ｄ3         10.138     3.951      0.855
ｆ1 ／｜ｆ2 ｜＝5.04  ，｜ｆ2 ｜／ｆT ＝0.12 ，Ｄ4 ／ｈ＝0.39
ｆ3 ／ｆ4 ＝0.76  ，ｈ／Ｒ2G＝0.094 ，Ｄ2 ／ｈ＝0
【００７８】
実施例１２
ｆ＝28.970〜62.250〜135.291 ，Ｆナンバー＝4.924 〜6.283 〜7.009
２ω＝76.3°〜37.1°〜17.4°
ｒ1 ＝214.871           ｄ1 ＝2.700     ｎ1 ＝1.80518     ν1 ＝25.42
ｒ2 ＝65.661            ｄ2 ＝6.550     ｎ2 ＝1.48749     ν2 ＝70.23
ｒ3 ＝-195.522          ｄ3 ＝0.200
ｒ4 ＝47.433            ｄ4 ＝4.750     ｎ3 ＝1.65844     ν3 ＝50.88
ｒ5 ＝160.735           ｄ5 ＝Ｄ1 （可変）
ｒ6 ＝348.794           ｄ6 ＝1.600     ｎ4 ＝1.77250     ν4 ＝49.60
ｒ7 ＝16.320            ｄ7 ＝4.176
ｒ8 ＝-64.926           ｄ8 ＝1.550     ｎ5 ＝1.72916     ν5 ＝54.68
ｒ9 ＝32.049            ｄ9 ＝0.200
ｒ10＝25.457            ｄ10＝3.450     ｎ6 ＝1.84666     ν6 ＝23.78
ｒ11＝-157.386          ｄ11＝0.900
ｒ12＝-36.496           ｄ12＝1.350     ｎ7 ＝1.77250     ν7 ＝49.60
ｒ13＝-124.528          ｄ13＝Ｄ2 （可変）
ｒ14＝∞（絞り）        ｄ14＝1.000
ｒ15＝41.115            ｄ15＝2.800     ｎ8 ＝1.48749     ν8 ＝70.23
ｒ16＝-48.637           ｄ16＝0.200
ｒ17＝27.280            ｄ17＝2.800     ｎ9 ＝1.48749     ν9 ＝70.23
ｒ18＝-2484.952         ｄ18＝3.452
ｒ19＝-37.485           ｄ19＝1.540     ｎ10＝1.80809     ν10＝22.76
ｒ20＝-619.074          ｄ20＝Ｄ3 （可変）
ｒ21＝32.893            ｄ21＝4.900     ｎ11＝1.51633     ν11＝64.14
ｒ22＝-44.370           ｄ22＝7.113
ｒ23＝2810.285（非球面）ｄ23＝1.700     ｎ12＝1.75512     ν12＝45.60
ｒ24＝56.573
非球面係数
（第２３面）ｋ＝0.0000，Ａ4 ＝-2.8223 ×10-5，Ａ6 ＝-1.0444 ×10-7
Ａ8 ＝7.2762×10-10 ，Ａ10＝-4.0745 ×10-12
ｆＢ        37.852     59.181     74.286
Ｄ1         0.900      15.825     35.410
Ｄ2         18.314     8.014      1.069
Ｄ3         10.870     4.353      1.439
ｆ1 ／｜ｆ2 ｜＝5.08  ，｜ｆ2 ｜／ｆT ＝0.13 ，Ｄ4 ／ｈ＝0.33
ｆ3 ／ｆ4 ＝0.72  ，ｈ／Ｒ2G＝0.062 ，Ｄ2 ／ｈ＝0
ただしｒ1 ，ｒ2 ，・・・ はレンズ各面の曲率半径、ｄ1 ，ｄ2 ，・・・ は各レンズの肉厚および空気間隔、ｎ1 ，ｎ2 ，・・・ は各レンズの屈折率、ν1 ，ν2 ，・・・ は各レンズのアッベ数である。
【００７９】
実施例１〜６は、それぞれ図１〜図６に示す通りの構成のズームレンズで、第１群が負レンズと正レンズとを接合した接合レンズと正のメニスカスレンズよりなり、第２群が第１レンズ成分の負レンズと第２レンズ成分の負レンズと第３レンズ成分の正レンズとよりなり、明るさ絞りを挟んで第３群が正レンズと正レンズと負レンズとよりなり、第４群が正レンズよりなる前群と負レンズよりなる後群とよりなる。
【００８０】
これら実施例のうち、実施例１は、第４群の後群の負レンズの物体側の面（ｒ21）が非球面である。
【００８１】
また、実施例２は、第２群の第２レンズ成分である２枚目の負レンズの像側の面（ｒ9）と最終面つまり第４群の後群である負レンズの像側の面（ｒ22）が非球面である。
【００８２】
実施例３は第２群の第１レンズである最も物体側のレンズの像側の面（ｒ7）と第４群の後群の負レンズの像側の面（ｒ22）が非球面である。
【００８３】
実施例４は、第２群の第１レンズの負レンズの像側の面（ｒ7）と第４群の後群の負レンズの物体側の面（ｒ21）が非球面である。
【００８４】
実施例５は、第２群の第１レンズ成分である最も物体側の負レンズがガラスレンズ（ｒ6〜ｒ7）の像側に樹脂層を設けたハイブリットレンズで、このハイブリットレンズの樹脂層（ｒ7〜ｒ8）の像側の面（ｒ8 ）が非球面である。また第４群の後群の負レンズの物体側の面が非球面である。
【００８５】
実施例６は、第２群の第１レンズ成分である第２群の最も物体側の負レンズの像側の面（ｒ7）と第４群の後群の負レンズの物体側の面（ｒ21）が非球面である。
【００８６】
次に実施例７〜１２は夫々図７〜図１２に示す構成で、第１群が負レンズと正レンズの接合レンズと正のメニスカスレンズとよりなり、第２群が第１レンズ成分の負レンズと第２レンズ成分の負レンズと第３レンズ成分の正レンズと第４レンズ成分の負レンズとよりなり、第２群の像側に明るさ絞りを挟んで配置された第３群が正レンズと正レンズと負レンズとよりなり、第４群が正レンズよりなる前群と負レンズよりなる後群とよりなるレンズ系である。
【００８７】
即ち、これら実施例７〜１２のズームレンズは、第２群が負の第１レンズ成分と負の第２レンズ成分と正の第３レンズ成分と負の第４レンズ成分とよりなる四つのレンズ成分からなる点で負、負、正の三つのレンズ成分よりなる実施例１〜６と相違する。
【００８８】
また、実施例７、８は第４群の後群の負レンズの物体側のレンズ面（ｒ23）が非球面である。実施例９は第４群の後群の負レンズがガラスレンズ（ｒ24〜ｒ25）の前に樹脂（ｒ23〜ｒ24）を設けたハイブリッドレンズで、樹脂の物体側の面（ｒ23）が非球面である。実施例１０、１１、１２はいずれも実施例７、８と同様に第４群の後群の負レンズの物体側の面（ｒ23）が非球面である。
【００８９】
上記実施例に用いられている非球面の形状は、光軸方向にｚ軸を、光軸と直角な方向にｙ軸をとった時、次の式にて表わされる。
ｚ＝（ｙ2 ／ｒ）／［１＋｛１−（ｋ＋１）（ｙ／ｒ）2 ｝1/2 ］
＋Ａ2 ｙ2 ＋Ａ4 ｙ4 ＋Ａ6 ｙ6 ＋Ａ8 ｙ8 ＋Ａ10ｙ10＋・・・
ただし、ｒは基準球面の曲率半径、ｋは円錐係数、Ａ2 、Ａ4 、・・・は２次、４次、・・・の非球面係数である。
【００９０】
各実施例の構成を示す図１〜図１２において、上段が広角端、中段が中間焦点距離、下段が望遠端である。また、実施例１〜１２の収差状況は夫々図１３〜図２４に示す通りである。尚これら図１３〜図２４において（Ａ）、（Ｂ）、（Ｃ）は夫々広角端、中間焦点距離、望遠端における収差図である。
【００９１】
以上述べた本発明のズームレンズは、例えば、図２５、図２６に示すようなコンパクトカメラの撮影レンズとして用いられる。図２５、図２６において、１はカメラボディー、２は撮影レンズ、３は撮影用光路、４はファインダー用光学系、５はファインダー用光学系の光路、６は撮影レンズの結像面におかれたフィルム、７はファインダーの像正立プリズム、８は絞り、９はファインダーの接眼レンズである。このカメラにおいて、撮影レンズによりフィルム６の上に結像され、また撮影レンズ２の光路３とその光路が平行におかれたファインダーに入射した光は像正立プリズム７および接眼レンズ９を通って観察者により観察される。
【００９２】
このカメラに用いる撮影レンズ２に本発明のズームレンズが用いられる。
【００９３】
又、図２７は本発明のズームレンズを用いた一眼レフレックスカメラを示す。この図２７において、１０は一眼レフレックスカメラで、２は撮影レンズ、６はフィルム、１１は撮影レンズ２の光路３上レンズ系２とフィルム６との間に配置されたクイックリターンミラー、１２はクイックリターンミラーより反射された光路に配置されたファインダースクリーン、１３はペンタプリズム、１４はファインダー、１５は観察者の眼（アイポイント）である。
【００９４】
この一眼レフレックスカメラ１０の撮影レンズ２として本発明のズームレンズが用いられている。
【００９５】
特許請求の範囲に記載するズームレンズのほか次の各項に示すズームレンズも目的を達成し得る。
【００９６】
（１）  特許請求の範囲の請求項１、２、３又は４に記載するレンズ系で、前記第３群の最も物体側に正レンズを配置したことを特徴とするズームレンズ。
【００９７】
（２）  特許請求の範囲の請求項１又は２あるいは前記の（１）の項に記載するレンズ系で、第３群の最も像側に物体側が空気間隔である負レンズを配置したことを特徴とするズームレンズ。
【００９８】
（３）  特許請求の範囲の請求項１、２、３又は４に記載するレンズ系で、第３群が物体側より順に正レンズと正レンズと物体側に凹面を向けた負レンズよりなることを特徴とするズームレンズ。
【００９９】
（４）  前記の（１）又は（３）の項に記載するレンズ系で、第３群の最も物体側の正レンズが単レンズであることを特徴とするズームレンズ。
【０１００】
（５）  前記の（２）又は（３）の項に記載するレンズ系で、第３群の最も像側の負レンズが単レンズであることを特徴とするズームレンズ。
【０１０１】
（６）  前記の（３）の項に記載するレンズ系で、第３群の負レンズの物体側の面よりもこの面と空気間隔を挟んで対向する面のほうが弱い曲率であることを特徴とするズームレンズ。
【０１０２】
（７）  特許請求の範囲の請求項１、２、３又は４に記載するレンズ系で、第４群の前群が正レンズよりなり後群が負レンズよりなることを特徴とするズームレンズ。
【０１０３】
（８）  前記の（７）の項に記載するレンズ系で、第４群の後群の負レンズが光軸から離れるにしたがって負の屈折力が強くなる形状の非球面を有することを特徴とするズームレンズ。
【０１０４】
（９）  前記の（８）の項に記載するレンズ系で、第４群の負レンズの非球面がレンズに樹脂を設けることにより形成することを特徴とするズームレンズ。
【０１０５】
（１０）  特許請求の範囲の請求項１又は２に記載するレンズ系で、第２群が物体側より順にそれぞれ空気間隔を挟んで配置された負レンズと負レンズと正レンズよりなることを特徴とするズームレンズ。
【０１０６】
（１１）  前記の（１０）の項に記載するレンズ系で、第２群の最も物体側の負レンズが非球面を有することを特徴とするズームレンズ。
【０１０７】
（１２）  前記の（１０）又は（１１）の項に記載するレンズ系で、第２群のレンズがいずれも単レンズであることを特徴とするズームレンズ。
【０１０８】
（１３）  特許請求の範囲の請求項１又は２に記載するレンズ系で、第２群が物体側より順にそれぞれ空気間隔を挟んで配置された負レンズと負レンズと正レンズと負レンズとよりなることを特徴とするズームレンズ。
【０１０９】
（１４）  前記の（１３）の項に記載するレンズ系で、第２群のレンズがいずれも単レンズであることを特徴とするズームレンズ。
【０１１０】
（１５）  前記の（１３）又は（１４）の項に記載するレンズ系で、下記条件（５）を満足することを特徴とするズームレンズ。
（５）    −０．０７≦ｈ／Ｒ2G≦０．３５
【０１１１】
（１６）  特許請求の範囲の請求項１に記載するレンズ系で、第１群が物体側から順に正レンズと負レンズと物体側に凸面を向けた正のメニスカスレンズとからなることを特徴とするズームレンズ。
【０１１２】
（１７）  特許請求の範囲の請求項３あるいは前記の（１６）の項に記載するレンズ系で、負レンズと正レンズが下記条件（６）を満足することを特徴とするズームレンズ。
（６）    ０≦Ｄ2 ／ｈ≦０．０３５
【０１１３】
（１８）  前記の（１７）の項に記載するレンズ系で、第１群の負レンズと正レンズとを接合して接合レンズとしたことを特徴とするズームレンズ。
【０１１４】
（１９）  特許請求の範囲の請求項３に記載するレンズ系で、第２群が下記条件（２）を満足することを特徴とするズームレンズ。
（２）    ０．０７＜｜ｆ2 ｜／ｆT ＜０．１６
【０１１５】
（２０）  特許請求の範囲の請求項１、２、３又は４に記載するレンズ系で、条件（３）の代りに下記条件（３−１）を満足することを特徴とするズームレンズ。
（３−１）    ０．１４＜Ｄ4 ／ｈ＜０．５
【０１１６】
（２１）  特許請求の範囲の請求項１、２、３又は４に記載するレンズ系で、条件（１）の代りに下記条件（１−１）を満足することを特徴とするズームレンズ。
（１−１）    ４．３＜ｆ1 ／｜ｆ2 ｜＜４．９
【０１１７】
（２２）  特許請求の範囲の請求項１又は２に記載するレンズ系で、下記条件（４）を満足することを特徴とするズームレンズ。
（４）    ０．２＜ｆ3 ／ｆ4 ＜１．１
【０１１８】
（２３）特許請求の範囲の請求項１、２、３又は４あるいは前記の（１）、（２）、（３）、（４）、（５）、（６）、（７）、（８）、（９）、（１０）、（１１）、（１２）、（１３）、（１４）、（１５）、（１６）、（１７）、（１８）、（１９）、（２０）、（２１）又は（２２）の項に記載するレンズ系で、広角端における画角が６５°を超えるズームレンズ。
【０１１９】
（２４）特許請求の範囲の請求項１、２、３又は４あるいは前記の（１）、（２）、（３）、（４）、（５）、（６）、（７）、（８）、（９）、（１０）、（１１）、（１２）、（１３）、（１４）、（１５）、（１６）、（１７）、（１８）、（１９）、（２０）、（２１）、（２２）又は（２３）の項に記載するズームレンズを備えた撮像装置で、前記ズームレンズの像側に光路を分割する光路分割手段を配置し、この光路分割手段により分割された光路内の一方を撮像用の光路にし他方を観察用のファインダーを配置したファインダー用の光路としたことを特徴とする撮像装置。
【０１２０】
【発明の効果】
本発明によれば、高変倍で、小型で、レンズ枚数が少なく、画角が６５°を超えるワイド端からテレ端までの広い変倍域にわたって良好な光学性能のズームレンズを実現し得る。
【図面の簡単な説明】
【図１】本発明の実施例１の断面図
【図２】本発明の実施例２の断面図
【図３】本発明の実施例３の断面図
【図４】本発明の実施例４の断面図
【図５】本発明の実施例５の断面図
【図６】本発明の実施例６の断面図
【図７】本発明の実施例７の断面図
【図８】本発明の実施例８の断面図
【図９】本発明の実施例９の断面図
【図１０】本発明の実施例１０の断面図
【図１１】本発明の実施例１１の断面図
【図１２】本発明の実施例１２の断面図
【図１３】本発明の実施例１の収差曲線図
【図１４】本発明の実施例２の収差曲線図
【図１５】本発明の実施例３の収差曲線図
【図１６】本発明の実施例４の収差曲線図
【図１７】本発明の実施例５の収差曲線図
【図１８】本発明の実施例６の収差曲線図
【図１９】本発明の実施例７の収差曲線図
【図２０】本発明の実施例８の収差曲線図
【図２１】本発明の実施例９の収差曲線図
【図２２】本発明の実施例１０の収差曲線図
【図２３】本発明の実施例１１の収差曲線図
【図２４】本発明の実施例１２の収差曲線図
【図２５】本発明のズームレンズを撮影レンズとして用いたコンパクトカメラの斜視図
【図２６】図２５に示すカメラの断面図
【図２７】本発明のズームレンズを用いた一眼レフレックスカメラの断面図
【図１】
0004101992.tif 000002
【図２】
0004101992.tif 000003
【図３】
0004101992.tif 000004
【図４】
0004101992.tif 000005
【図５】
0004101992.tif 000006
【図６】
0004101992.tif 000007
【図７】
0004101992.tif 000008
【図８】
0004101992.tif 000009
【図９】
0004101992.tif 000010
【図１０】
0004101992.tif 000011
【図１１】
0004101992.tif 000012
【図１２】
0004101992.tif 000013
【図１３】
0004101992.tif 000014
【図１４】
0004101992.tif 000015
【図１５】
0004101992.tif 000016
【図１６】
0004101992.tif 000017
【図１７】
0004101992.tif 000018
【図１８】
0004101992.tif 000019
【図１９】
0004101992.tif 000020
【図２０】
0004101992.tif 000021
【図２１】
0004101992.tif 000022
【図２２】
0004101992.tif 000023
【図２３】
0004101992.tif 000024
【図２４】
0004101992.tif 000025
【図２５】
0004101992.tif 000026
【図２６】
0004101992.tif 000027
【図２７】
0004101992.tif 000028